(57)【特許請求の範囲】
【請求項１】
内視鏡の対物レンズから手術で生じる細片を取り除くための内視鏡レンズ洗浄装置であって、
細長シースであって、前記細長シースの入口端部と前記入口端部の反対側の出口端部との間に延在する内視鏡ルーメンおよび洗浄チャネルを備え、少なくとも１つの離隔部が前記出口端部に沿って前記細長シース内に形成され、前記洗浄チャネルは前記内視鏡ルーメンに平行に隣接するように構成され、前記内視鏡ルーメンおよび前記洗浄チャネルは前記内視鏡ルーメンが空いている状態のときは互いに流体連通しており、前記内視鏡ルーメンが占拠されているときは、前記洗浄チャネルは、前記少なくとも１つの離隔部と前記入口端部との間は前記内視鏡ルーメンに対して流体密閉される、細長シースと、
連結ポート、アクセスポート、および流体ポートを備え、前記連結ポートが前記細長シースの前記入口端部とかみ合うように構成される接続アセンブリと、
を備え、
内視鏡通路は前記連結ポートと前記アクセスポートとの間に延在し、かみ合ったときに前記細長シースの前記内視鏡ルーメンと位置合わせするように構成され、
前記内視鏡通路と前記内視鏡ルーメンとは、前記内視鏡レンズ洗浄装置の互いに反対側に位置する遠位側の端部と近位側の端部との間で等しい直径を有し、
流体通路は前記流体ポートから延在し、前記洗浄チャネルと位置合わせし、流体接続するように構成される、内視鏡レンズ洗浄装置。
【請求項２】
前記洗浄チャネルの半径は前記内視鏡ルーメンの半径よりも小さい、請求項１に記載の装置。
【請求項３】
前記出口端部は、遠位開口部を画定する内方に突出する横断面が内周に亘って延びるフランジを備える、請求項１に記載の装置。
【請求項４】
前記フランジの拡張フランジ部分は前記出口端部で前記洗浄チャネルの少なくとも一部を横切って突出し、前記内視鏡レンズを横切る流れを案内するように構成される、請求項３に記載の装置。
【請求項５】
前記少なくとも１つの離隔部は前記細長シース内で前記フランジに隣接して配置される、請求項３に記載の装置。
【請求項６】
前記アクセスポートは、前記内視鏡の内視鏡挿入本体に対する流体密封シールを提供するようにサイズ決めおよび構成される、請求項１に記載の装置。
【請求項７】
前記細長シース内に延在する導管の内面は、前記洗浄チャネルに隣接する前記内視鏡ルーメンにより画定される、請求項１に記載の装置。
【請求項８】
前記細長シースの外側表面は、幅よりも大きい深さを有する、請求項１に記載の装置。
【請求項９】
内視鏡の対物レンズから手術で生じる細片を取り除くための内視鏡レンズ洗浄装置であって、
内面および外面を有する細長シースであって、前記内面は前記外面と異なり、前記細長シースは出口端部と入口端部との間に延在する内視鏡ルーメンに隣接し、流体連通する洗浄チャネルにより画定され、前記出口端部は、遠位開口部を画定する内方に突出する横断面が放射状のフランジと、前記内視鏡ルーメン内の前記フランジの近位側に少なくとも１つの離隔部とを備え、前記洗浄チャネルは軸方向に内視鏡経路軸線からずらされる、細長シースと、
連結ポート、アクセスポート、および流体ポートを備える接続アセンブリとを備え、前記連結ポートは前記細長シースの前記入口端部とかみ合うように構成され、流体通路は前記流体ポートと前記細長シースの前記洗浄チャネルとの間に延在し、内視鏡通路は、前記接続アセンブリが前記細長シースとかみ合うときに前記内視鏡ルーメンと前記アクセスポートとの間に延在し、前記内視鏡通路と前記内視鏡ルーメンとは、前記内視鏡レンズ洗浄装置の互いに反対側に位置する遠位側の端部と近位側の端部との間で等しい直径を有する、内視鏡レンズ洗浄装置。
【請求項１０】
前記接続アセンブリはポンプ制御スイッチハウジングの設置を収容するように構成される、請求項９に記載の装置。
【発明の詳細な説明】
【技術分野】
【０００１】
本発明は、内視鏡レンズ洗浄デバイスに関する。
【背景技術】
【０００２】
[0001]内視鏡により、外科手術が行われている間手術部位の遠隔観察が可能になる。手術中、手術部位からの血液、組織および他の細片が内視鏡の観察端部に飛び散る可能性があり、内視鏡による視野を損なう。内視鏡の視野を隠す手術で生じる細片は除去されなければならない。内視鏡レンズは、内視鏡の遠位観察端部からの手術で生じる細片の効果的な洗い流しを提供することにより洗浄され得る。
【０００３】
[0002]内視鏡シースを使用して、内視鏡挿入本体および内視鏡の観察端部をきれいなままに保ち、また内視鏡シースは多くの場合、観察端部から手術で生じる細片を洗い流すかまたは吸引するために空気チューブ、水チューブ、または吸引チューブを備える。内視鏡シースでの、または内視鏡シース内での洗浄チューブ、吸引チューブおよび空気チューブによって多くの場合、内視鏡の輪郭に対し周長が顕著に大きくなる。内視鏡シースは一般に、特定の内視鏡に特別に適合する。内視鏡は長さがさまざまであるため、シースは一般に、対応する長さであることを要求される。
【発明の概要】
【課題を解決するための手段】
【０００４】
[0003]一態様は、内視鏡の対物レンズから手術で生じる細片を取り除くために使用される内視鏡レンズ洗浄装置を提供する。内視鏡レンズ洗浄装置は、細長シースと、接続アセンブリとを備える。細長シースは内視鏡ルーメンおよび洗浄チャネルを備え、これらはそれぞれ、細長シースの入口端部と入口端部の反対側の出口端部との間に延在する。少なくとも１つの離隔部が出口端部に沿って細長シース内に形成される。洗浄チャネルは内視鏡ルーメンに平行に隣接するように構成される。内視鏡ルーメンおよび洗浄チャネルは内視鏡ルーメンが空いている状態のときは互いに流体連通しており、内視鏡ルーメンが占拠されているときは、洗浄チャネルは、少なくとも１つの離隔部と入口端部との間は内視鏡ルーメンに対して流体密閉される。接続アセンブリは連結ポートと、アクセスポートと、流体ポートとを備える。連結ポートは細長シースの入口端部とかみ合うように構成される。内視鏡通路は連結ポートとアクセスポートとの間に延在し、かみ合ったときに細長シースの内視鏡ルーメンと位置合わせするように構成される。流体通路は流体ポートから延在し、洗浄チャネルと位置合わせし、流体接続するように構成される。
【図面の簡単な説明】
【０００５】
【図１】[0004]図１は、本開示の態様による内視鏡レンズ洗浄装置の斜視図である。
【図２】[0005]図２は、図１の内視鏡レンズ洗浄装置の断面図である。
【図３Ａ】[0006]図３Ａは、図１の装置の細長シースの出口端部の図である。
【図３Ｂ】[0007]図３Ｂは、図１の装置の細長シースの断面図である。
【図３Ｃ】[0008]図３Ｃは、図１の装置の細長シースの入口端部の図である。
【図４Ａ】[0009]図４Ａは、本開示の態様による細長シースの傾斜した出口端部の斜視図である。
【図４Ｂ】[0010]図４Ｂは、図４Ａの細長シースの傾斜した出口端部の断面図である。
【図５Ａ】[0011]図５Ａは、本開示の態様による細長シースの傾斜した出口端部の斜視図である。
【図５Ｂ】[0012]図５Ｂは、図５Ａの細長シースの傾斜した出口端部の断面図である。
【図６Ａ】[0013]図６Ａは、図１の装置の接続アセンブリの斜視図である。
【図６Ｂ】図６Ｂは、図１の装置の接続アセンブリの斜視図である。
【図７】[0014]図７は、制御スイッチハウジングと連結される本開示の態様による内視鏡レンズ洗浄装置の斜視図である。
【図８】[0015]図８は、本開示の態様による内視鏡レンズ洗浄装置の断面図である。
【発明を実施するための形態】
【０００６】
[0016]本開示によるいくつかの態様は、内視鏡手術中に内視鏡、流体供給管、ポンプ、およびポンプ制御装置と共に使用する内視鏡レンズ洗浄装置に関する。この点を考慮して、内視鏡レンズ洗浄装置１０の一実施形態が図１に示され、これは細長シース１２および接続アセンブリ１４を備える。さまざまな構成要素の詳細が下記で提供される。
【０００７】
[0017]しかし、大まかには、細長シース１２および接続アセンブリ１４からなる内視鏡レンズ洗浄装置１０は、図２で参照されるように長さ「Ｌ」を有する。長さ「Ｌ」は、内視鏡挿入本体の全長以下の長さである。細長シース１２および接続アセンブリ１４は、医療処置中に内視鏡挿入本体の少なくとも一部が汚れるのを防止するために内視鏡挿入本体（図示せず）の少なくとも一部の長さを密閉するように構成される。加えて、細長シース１２および接続アセンブリ１４は、内視鏡手術中に流体（例えば、食塩水）を供給し、その流体の一部を吸引して内視鏡レンズを洗浄するように構成される。内視鏡レンズ洗浄装置１０は、流体を内視鏡レンズへと供給し、その後流体および手術で生じる細片を吸引して除去するために、流体供給管（図示せず）を介してポンプ（図示せず）に連結される。
【０００８】
[0018]細長シース１２は、内視鏡ルーメン２０および洗浄チャネル２２を含む導管１８を備えるかまたは画定する。内視鏡ルーメン２０および洗浄チャネル２２は互いに流体連通するように隣り合い、細長シース１２の出口端部２４から反対側の入口端部２６まで互いに平行に延在する。細長シース１２は、洗浄チャネル２２よりも大きい内視鏡ルーメン２０を収容し、細長シース１２の外寸を最小限にするように構成される。一実施形態では、図３Ｂに最も良く示されるように、細長シース１２の外側表面２８は非対称であり、幅「Ｗ」よりも大きい深さ「Ｄ」を有する。円筒形等のその他の形状の細長シース１２もまた許容可能である。
【０００９】
[0019]細長シース１２は、内視鏡レンズを見るのに好適な遠位開口部３２を画定する、内方に突出する横断面が放射状のフランジ３０を有する出口端部２４で終端する。フランジ３０の拡張フランジ部分３４は、内視鏡レンズ（図示せず）および遠位開口部３４を横切る流れを案内するように、出口端部２４で洗浄チャネル２２の少なくとも一部を横切って突出する。少なくとも１つの離隔部３６が導管１８内でフランジ３０に隣接して配置され、内視鏡（内視鏡は図示せず）が完全に挿入されたとき、対物レンズを保持する内視鏡観察端部をフランジ３０から所定の距離だけ間隔を置くように構成される。少なくとも１つの離隔部３６は、縁部が丸みを帯び、矩形の断面形状または内視鏡ルーメン２０内に完全に挿入されたときに内視鏡観察端部をフランジ３０に直接接触して配置させないような好適な任意の形状の半径方向に離間された隆起であることができる。少なくとも１つの離隔部３６のサイズおよび形状は、洗い流して吸引時に細片除去するときに内視鏡レンズを横切る所望の流れを収容するのに適当である。少なくとも１つの離隔部３６は、流体が拡張フランジ３４と内視鏡観察端部との間の出口端部２４で洗浄チャネル２２から流出するように遠位間隙３８を提供する。遠位間隙３８は、洗浄チャネル２２へと誘導された洗浄溶液が拡張フランジ３４により方向転換されて、内視鏡レンズを横切って流れ、手術で生じる細片を内視鏡の観察端部から洗い流すようにサイズ決めされる。
【００１０】
[0020]図３Ａおよび図３Ｂに最も良く示されるように、導管１８は、内視鏡ルーメン２０および洗浄チャネル２２からなる円筒形ルーメンまたは通路を横切ることにより横断面が画定される。導管１８の断面は、「８」の字の上部と下部がまったく分割されていない「８」の字の外周と類似の形状に見える。すなわち、洗浄チャネル２２は内視鏡経路軸線１６に沿って内視鏡ルーメンからずらされる。内視鏡ルーメン２０はより大きくてもよく（例えば、さらに大きい直径を有し）、洗浄チャネル２２よりも細長シース１２の体積を大きく占める。内視鏡ルーメン２０および洗浄チャネル２２は、内視鏡ルーメン２０が空いているかまたは占拠されてない状態（すなわち、内視鏡によって占拠されていない）では互いに流体連通しており、内視鏡ルーメン２０が占拠された状態（すなわち、本体内側表面４０を密閉するのに十分な外径を有する内視鏡により占拠される）のときは、流体連通せず、少なくとも１つの離隔部３６と入口端部２６との間が互いから密閉される。
【００１１】
[0021]本体内側表面４０は、内視鏡ルーメン２０を部分的に画定し、洗浄内側表面４２は洗浄チャネル２２を部分的に画定する。本体内側表面４０および洗浄内側表面４２は、入口端部２６から出口端部２４まで延在する接合部４４で内視鏡経路軸線１６に平行な導管１８に沿って交わる。一実施形態では、洗浄内側表面４２は半円形の断面であり、本体内側表面４０は、接合部４４に沿って半円形の洗浄内側表面４２と隣接する不完全な円として形成される。洗浄内側表面４２は、本体内側表面４０の半径よりも小さい半径を有する。表面４０、４２は外側表面２８とは異なっており、さまざまな厚さの周辺壁４６を形成する。周辺壁４６は例えば、０．００２５ｃｍ（０．００１インチ）〜０．０３８１ｃｍ（０．０１５インチ）厚であることができる。外側表面２８は、患者の身体に挿入するために平滑表面を提供する。
【００１２】
[0022]図３Ｂおよび図３Ｃの内視鏡の外周全体を示す破線曲線４８によって示されるように、洗浄チャネル２２は内視鏡ルーメン２０内に配置される内視鏡の外部表面に直接沿って延在する。すなわち、洗浄チャネル２２に晒される内視鏡の外部表面が、挿入時に、内視鏡ルーメン２０を洗浄チャネル２２から分離し、完全に洗浄チャネル２２を（図示していないフランジ３０に隣接した少なくとも１つの離隔部３６まで）密閉する。内視鏡ルーメン２０は、洗浄チャネル２２に対する流体密封シールを接合部４４に沿って内視鏡に提供するようにサイズ決めされる。接合部４４の半径は内視鏡の周辺部に対するシールを形成する。本体内側表面４０は比較的平滑であるため、内視鏡は最小限の摩擦抵抗で挿入可能である。細長シース１２は、挿入本体の可撓性部分の自由な屈曲が可能になるように可撓性であり得るか、または比較的剛性であってもよい。
【００１３】
[0023]図３Ｃは細長シース１２の入口端部２６の断面図である。細長シース１２の入口端部２６は開いている。引き続き図２を参照して、一実施形態では、入口端部２６は、細長シース１２を内視鏡経路軸線１６に沿って接続アセンブリ１４と位置合わせするための位置合わせ機構５０を備える。一実施形態では、位置合わせ機構５０は、細長シース１２の外側表面２８から外方に突出し、さらに後述される接続アセンブリのスロット６８と嵌め合い連結する鍵である。一実施形態では、細長シース１２および接続アセンブリ１４は接着剤またはその他の取付け手段によって共に固定連結される。細長シース１２および接続アセンブリ１４はポリプロピレンまたはその他の好適な材料であることができ、所望であれば、半透明であることができる。
【００１４】
[0024]図２および図３Ａに戻ると、細長シース１２の出口端部２４は、０度角の内視鏡と共に使用するための０度角の端部を有する。０度角の出口端部２４は、フランジ３０と、細長シース１２の内視鏡経路軸線１６および周辺壁４６に垂直に配置される拡張フランジ３４とを備える。
【００１５】
[0025]図２の０度角の出口端部２４に対する代替的実施形態の例が図４Ａ〜図４Ｂおよび図５Ａ〜図５Ｂに示される。一般に、内視鏡は、対物レンズが内視鏡の長手軸に対して０度〜７０度の範囲の角度で配置されて製造される。したがって、本開示の内視鏡シース１２、１２’、１２”は、出口端部２４、２４’、２４”を備え、さまざまな角度の付いた内視鏡と共に使用するために構成される。本開示の態様によると、出口端部２４、２４’、２４”は、例えば、縁部が丸いまたは四角い観察端部をはじめとするさまざまな製造者の内視鏡観察端部を収容するように構成される。
【００１６】
[0026]図４Ａおよび図４Ｂに示される例示的実施形態をさらに参照すると、出口端部２４’は、内視鏡経路軸線１６に対して傾斜した平面を形成する。図４Ａおよび図４Ｂに示される実施形態は、例えば４５度角または３０度角の内視鏡と共に使用できる。この構成によれば、出口端部２４’は洗浄チャネル２２’に沿って最も遠くまで突出して先端２９で終端し、内視鏡ルーメン２０’に沿って戻るようにテーパする。この点に関し、拡張フランジ３４’およびフランジは、遠位開口部３２’の方へ出口端部２４’の傾斜した平面に沿って半径方向に突出し、洗浄流を遠位開口部３２’および内視鏡レンズに沿って導く。少なくとも１つの離隔部３６’は内視鏡ルーメン２０’内にフランジ３０’に沿って配置され、細長シース１２’の出口端部２４’と傾斜した内視鏡レンズとの間の所定の洗浄空間を画定し、維持するようにサイズ決めされる。その他の実施形態と同様に、少なくとも１つの離隔部３６’は、内視鏡観察端部を出口端部２４’よりも細長シース１２’内部に配置するように構成される。
【００１７】
[0027]図５Ａおよび図５Ｂに示される出口端部２４”を備える細長シース１２”は７０度角の内視鏡観察端部を有する内視鏡を収容するように構成される。再び、その他の実施形態と同様に、出口端部２４”よりも細長シース１２”内部に配置可能な内視鏡観察端部により、さまざまな構成で製造された７０度角内視鏡観察端部が細長シース１２”と共に使用可能である。洗浄チャネル２２”と遠位開口部３２”との関係は図５Ｂに示される。図示されるように、洗浄チャネル２２”は周辺壁４６に沿って延在し、端部壁２９により方向転換され、かつ拡張フランジ３４”により再び遠位開口部３２”の方へ方向転換される。差込口２７は出口端部２４”よりも細長シース内部に内視鏡観察端部を位置づけるように構成される。
【００１８】
[0028]図６Ａおよび図６Ｂを参照すると、接続アセンブリ１４は、下記で詳述される連結ポート６２、流体ポート６４、およびアクセスポート６６を形成または提供するマニホールドハウジング６０を備える。図２に最も良く示すように、ハウジング６０はポート６２〜６６を流体的に相互接続する。アクセスポート６６は、内視鏡をハウジング６０内に、特に連結ポート６２を通して挿入可能なように構成される。したがって、いくつかの実施形態では、アクセスポート６６は軸方向に連結ポート６２と位置合わせされる。連結ポート６２は図１および図６Ｂに最も良く図示され、細長シース１２の入口２６と流体接続するように構成される。連結ポート６２は、細長シース１２と接続アセンブリ１４との所望の位置合わせおよび接続を確立し維持するのに有用な位置合わせ機構５０とかみ合うように構成されるスロット６８を備えることができる。
【００１９】
[0029]連結ポート６２は入口２６に着脱可能に連結されるか、または固定して連結される。連結ポート６２は入口２６と対応してかみ合うようにサイズ決めおよび成形される。したがって、入口２６の外側表面の断面が非対称または楕円形の場合、連結ポートの嵌合面７０の断面は非対称または楕円形である。この構成により、入口２６は連結ポート６２に挿入可能である。一実施形態では、連結ポート６２は、完全に挿入されたときに入口２６がそこで終端する当接部７２を備える。加えて、入口２６は、連結ポート６２の末端部７４が径方向肩部５２の面５４に当接するように連結ポート６２内に延在することができる。
【００２０】
[0030]洗浄通路７６および内視鏡通路７８がハウジング６０内に設置される。特に、洗浄通路７６は連結ポート６２および流体ポート６４を通って延在する。洗浄通路７６は、細長シース１２の洗浄チャネル２２と形状およびサイズが対応し、軸方向に位置合わせされるチャネル部分８０を備える。流体ポート６４は連結ポート６２に対して鈍角で突出する。流体ポート６４は、流体入口８６と流体出口８８の間に延在するルーメン８４を形成する。流体ポート６４はチャネル部分８０に対して開いている。ルーメン８４およびチャネル部分８０は洗浄通路７６を形成する。流体ポート６４は流体入口８６に、内視鏡レンズ洗浄装置１０内に挿入されたときの内視鏡レンズの洗浄（または「洗い流し」および「吸引」）に有用な流体源と関連する管またはその他の構成部品に対する流体接続を促進するさまざまな特徴を備えることができる。例えば、有刺表面９０が所望により形成される。流体ポート６４は管（図示せず）の寸法特性と一致し、流体ポート６４から導入される流体が細長シース１２の出口２４に挿入される内視鏡レンズと接触することをより確実にする。流体ポート６４は、管またはその他の構成要素との接続を容易にするためにアクセスポート６６に対して所定の距離を延在する。
【００２１】
[0031]内視鏡通路７８は連結ポート６２およびアクセスポート６６を通って延在する。洗浄通路７６のチャネル部分８０はハウジング６０全体で内視鏡通路７８と平行に延在し、アクセスポート６６内に配置される円周リッジ８２の遠位側または内部で終端する。円周リッジ８２は内視鏡通路７８に沿って内方に突出し、内視鏡挿入本体の外径と嵌合し、アクセスポート６６の内視鏡入口８３を通って延在する内視鏡挿入本体に対して流体密封摩擦シールを提供する。内視鏡入口８３および内視鏡ルーメン２０は、同じ直径を有することができる。内視鏡通路７８は、細長シース１２の内視鏡ルーメン２０と形状およびサイズが対応し、軸方向に位置合わせされる。適用可能な場合、連結ポート６２と入口２６、および位置合わせ機構５０とスロット６８との相補的形状を使用して、洗浄チャネル２２と洗浄通路７６、および内視鏡チャネル２０と内視鏡通路７８の位置合わせを補助する。
【００２２】
[0032]上述のように、内視鏡レンズ洗浄装置１０は流体を供給および除去するためのポンプと共に使用するように構成される。この点を考慮して、ある構成の接続アセンブリ１４は、制御スイッチハウジング９２の取付け具を収容するように構成されるハウジング６０を備える。制御スイッチハウジング９２は例示のみを目的として図７に示され、任意の入手可能な制御スイッチハウジングであり得る。制御スイッチハウジング９２を受容するように構成される接続アセンブリ１４のハウジング６０の詳細が下記で記述される。しかし、大まかには、ハウジング６０は径方向ハブ９４、ノーズ９６、エンドプレート１００、およびインターセプタ１０を備える。
【００２３】
[0033]本開示によるある構成のハウジング６０が図６Ａおよび図６Ｂに詳細に図示される。径方向ハブ９４は内視鏡経路軸線１６を横切って延在し、ノーズ９６は連結ポート６２の末端部７４と径方向ハブ９４との間に延在する。一実施形態では、径方向ハブ９４の周縁部９８および径方向肩部５２の周縁部５３は内視鏡経路軸線１６を同じだけ横切って延在する。周縁部５３、９８は、制御スイッチハウジング９２の継手および支持体と一致して収容する円形、非対称または任意の所望の形状であり得る。径方向ハブ９４と同様に、エンドプレート１００は内視鏡経路軸線１６を横切って延在する。しかし、エンドプレート１００は円形ではなく、流体ポート６４の方に延びも接触もしないように構成される。エンドプレート１００は、使用者が接続アセンブリ１４をつかむのに便利な場所を提供できる。インターセプタ１０２は径方向ハブ９４とエンドプレート１００の間をハウジング６０の片側に沿って直線的に延在する。
【００２４】
[0034]制御スイッチハウジング９２は、内視鏡レンズ洗浄装置１０を受容し、解放可能に取り付けられるようにサイズ決めされる部分的に円筒形の壁部分９３を備える。制御スイッチハウジング９２が図７に示すように内視鏡レンズ洗浄装置１０に取り付けられると、制御スイッチハウジング９２の壁部分９３は全体として、細長シース１２の径方向肩部５２および接続アセンブリ１４の径方向ハブ９４を取り囲み、エンドプレート１００に当接する。また、インターセプタ１０２は、制御スイッチハウジング９２の終端縁部１０４の間に延在するように構成される。インターセプタ１０２は制御スイッチハウジング９２が内視鏡レンズ洗浄装置１０周りに回転するのを防止する。
【００２５】
[0035]図８は、一実施形態による内視鏡レンズ洗浄装置１１０の斜視図を示す。内視鏡レンズ洗浄装置１１０の態様は上述のものと類似しており、類似の要素はそれに対応して番号付けられる。本実施形態では、細長シース１１２の入口端部１２６は連結アセンブリ１１４の連結ポート１６２内に挿入される。細長シース１１２の洗浄チャネル１２２および内視鏡ルーメン１２０をそれぞれ、接続アセンブリ１１４の洗浄通路１７６および内視鏡通路１７８と適切に位置合わせするために、位置合わせ機構１５０が備えられ得る。
【００２６】
[0036]前述の実施形態と同様に、接続アセンブリ１１４は連結ポート１６２、流体ポート１６４、およびアクセスポート１６６を備える。ポート１６２〜１６６の外観は略円筒形である。連結ポート１６２およびアクセスポート１６６が軸方向に位置合わせされ、内視鏡はアクセスポート１６６、連結ポート１６２および細長シース１１２を通って延在する内視鏡経路軸線１１６に沿って延在することができる。接続アセンブリ１１４は、前述の実施形態のエンドプレート１００と同様に「翼付き」拡張部（図示せず）を備えることができ、内視鏡挿入本体の挿入および取り出し中に使用者が都合良く把持すること、ならびに内視鏡および内視鏡レンズ洗浄装置１１０の患者内での位置決めも可能にする。
【００２７】
[0037]上記のように、図１および図２の実施形態を大まかに参照して、本開示による内視鏡レンズ洗浄方法は、内視鏡挿入本体を内視鏡レンズ洗浄装置１０の連結アセンブリ１４および細長シース１２内に挿入するステップを含む。内視鏡レンズ洗浄装置１０の長さ「Ｌ」は内視鏡挿入本体の長さ未満であることができるため、内視鏡挿入本体の第１の部分は、内視鏡レンズ洗浄装置内に配置され得、第２の部分は内視鏡レンズ洗浄装置の遠位側に配置され得る。少なくとも１つの離隔部３６の近位側に延在する洗浄チャネル２２および洗浄通路７６は、内視鏡挿入本体の外側表面によって内視鏡ルーメン２０および内視鏡通路７８から流体密閉される。流体流れが、外側表面に直接沿って洗浄チャネル２２および洗浄通路７６を通って細長シース１２の出口端部２４まで確立される。拡張フランジ３４に沿って流体を方向転換させることで流体は内視鏡を横切るように案内される。内視鏡レンズはフランジ３０、３４から所定の距離だけ離間され、流体は洗浄チャネル２２を出ることができる。流体および手術で生じる細片はさらに、流体ポート６４に接続されたポンプの作用を逆にすることで内視鏡レンズから吸引されるかまたは吸い出され、洗浄チャネル２２および通路７６を通って戻ることができる。本開示によると、洗浄チャネル２２および洗浄通路７６を備える装置１０内の単一の流路を使用して流体を供給し吸い出す。
【００２８】
[0038]本開示は好ましい実施形態を参照して記述されたが、当業者は本開示の趣旨および範囲から逸脱することなしに形態および詳細の変更がなされ得ることを理解するであろう。
【図１】
0006306153.tif 000002
【図２】
0006306153.tif 000003
【図３Ａ】
0006306153.tif 000004
【図３Ｂ】
0006306153.tif 000005
【図３Ｃ】
0006306153.tif 000006
【図４Ａ】
0006306153.tif 000007
【図４Ｂ】
0006306153.tif 000008
【図５Ａ】
0006306153.tif 000009
【図５Ｂ】
0006306153.tif 000010
【図６Ａ】
0006306153.tif 000011
【図６Ｂ】
0006306153.tif 000012
【図７】
0006306153.tif 000013
【図８】
0006306153.tif 000014